(57)【要約】  第１パネル（１０）と、第２パネル（２０）と、前記第１パネル（１０）を前記第２パネル（２０）に係止するための機械的係止装置と、を含むセットにおいて、前記第１パネル（１０）は第１縁部面（１１）を含み、前記第２パネル（２０）は第２パネル面（２２）を含み、前記機械的係止装置は、前記第１縁部面（１１）から第１角度（α１）で延び出す少なくとも１つのロッド形状要素（３１）と、前記第２パネル面（２２）から第２角度（α２）で前記第２パネル面（２２）内に延び入る挿入溝（３２）と、を含み、前記機械的係止装置は、少なくとも１つの係止溝（３５）と少なくとも１つの係止部（３４）とを更に含み、前記係止溝（３５）は、前記第１縁部面（１１）または前記第２パネル面（２２）から第３角度（β）で延びる少なくとも１つの係止面（３７）を含み、前記係止部（３４）は、前記係止溝（３５）に挿入されるとともに前記係止面（３７）に対して係止するように構成され、前記第３角度（β）は、前記第１角度（α１）と異なる。
2021535330.tif 000002
【特許請求の範囲】
【請求項１】
第１パネル（１０）と、第２パネル（２０）と、前記第１パネル（１０）を前記第２パネル（２０）に係止するための機械的係止装置と、を備えるセットにおいて、
−前記第１パネル（１０）は、第１縁部面（１１）と第１パネル面（１３）とを備え、
−前記第２パネル（２０）は、第２パネル面（２２）を備え、
−前記第１および第２パネル（１０、２０）の係止状態において、前記第１縁部面（１１）は、前記第２パネル面（２２）に面しており、または平行であり、
−前記機械的係止装置は、前記第１縁部面（１１）における少なくとも１つのロッド形状要素（３１）と、前記第２パネル面（２２）における少なくとも１つの挿入溝（３２）と、を備え、
−前記ロッド形状要素（３１）は、前記係止状態において、前記挿入溝（３２）と協働するように構成され、
−前記ロッド形状要素（３１）は、前記第１縁部面（１１）から第１角度（α１）で延び出し、
−前記挿入溝（３２）は、前記第２パネル面（２２）から第２角度（α２）で前記第２パネル面（２２）内に延び入り、
−前記機械的係止装置は、前記第２パネル面（２２）における係止溝（３５）および前記第１縁部面（１１）における係止部（３４）、または、前記第１縁部面（１１）における係止溝（３５）および前記第２パネル面（２２）における係止部（３４）を更に備え、
−前記係止溝（３５）は、前記第１縁部面（１１）または前記第２パネル面（２２）から第３角度（β）で延びる少なくとも１つの係止面（３７）を備え、
−前記係止部（３４）は、前記係止状態において、前記係止溝（３５）と協働するとともに前記係止面（３７）に対して係止するように構成され、
−前記第３角度（β）は、前記第１角度（α１）と異なり、
−前記第１角度（α１）は、約３０°乃至６０°の範囲にある、または約４０°乃至約５０°の範囲にある、または約４５°であり、
−前記機械的係止装置は、前記第１パネル（１０）を前記第２パネル（２０）に対して、前記第１パネル面（１３）に本質的に平行である組立方向に変位させることにより、前記係止状態を得るように構成され、
−前記組立方向（１１１、１１２、１１４）は、前記第１角度（α１）および前記第２角度（α２）のうちの少なくとも一方に対して本質的に平行である、
セット。
【請求項２】
前記第３角度（β）は、前記第１角度（α１）より約４５°乃至約９０°大きい、
請求項１に記載のセット。
【請求項３】
前記係止面（３７）の前記第３角度（β）は、約７０°乃至１１０°の範囲にある、または約８０°乃至１００°の範囲にある、または約８５°乃至９５°の範囲にある、または約９０°である、
請求項１乃至２のいずれか一項に記載のセット。
【請求項４】
前記係止部（３４）は、可撓性を有する、
請求項１乃至３のいずれかに記載のセット。
【請求項５】
非屈曲／非圧縮状態にある前記係止部（３４）は、前記係止溝（３５）に部分的に配置されるように構成される、
請求項１乃至４のいずれかに記載のセット。
【請求項６】
前記係止部（３４）は、ばねを備える、
請求項１乃至５のいずれかに記載のセット。
【請求項７】
前記係止部（３４）は、前記第１縁部面（１１）または前記第２パネル面（２２）に設けられた係止部溝（３８）に配置される、
請求項１乃至６のいずれかに記載のセット。
【請求項８】
屈曲／圧縮状態にある前記係止部（３４）は、前記係止部溝（３８）に実質的に配置されるように構成される、
請求項８に記載のセット。
【請求項９】
前記挿入溝（３２）および前記係止溝（３５）のうちの少なくとも一方は、ドリル孔である、
請求項１乃至８のいずれかに記載のセット。
【請求項１０】
前記ドリル孔は、有底のドリル孔である、
請求項９に記載のセット。
【請求項１１】
前記ロッド形状要素（３１）は、前記第１縁部面（１１）に設けられたロッド要素溝（３６）に配置される、
請求項１乃至１０のいずれかに記載のセット。
【請求項１２】
前記セットは、前記第１パネル（１０）の前記第１パネル面（１３）における第１パネル溝（１２）と、前記第２パネル（２０）の前記第２パネル面（２２）における第２パネル溝（２３）と、を備える、
請求項１乃至１１のいずれかに記載のセット。
【請求項１３】
前記第１パネル溝（１２）の幅（Ｗ１）は、前記第２パネル溝（２３）の幅（Ｗ２）と本質的に同一である、
請求項１２に記載のセット。
【請求項１４】
前記セットは、前記第１および第２パネル溝（１２、２３）に挿入されるとともに、選択的にこれらと協働するように構成される背面パネル（４０）を更に備える、
請求項１２乃至１３のいずれかに記載のセット。
【請求項１５】
前記第１パネル（１０）は、第２縁部面（１４）を備え、
前記第２パネル（２０）は、第３縁部面（２４）を備え、
前記第１パネル溝（１２）は、前記第２縁部面（１４）と実質的に平行であり、
前記第２パネル溝（２３）は、前記第３縁部面（２４）と実質的に平行である、
請求項１２乃至１４のいずれかに記載のセット。
【請求項１６】
前記第１パネル溝（１２）は、前記第２縁部面（１４）の全体に実質的に沿って延び、
前記第２パネル溝（２３）は、前記第３縁部面（２４）の全体に本質的に沿って延びる、
請求項１２乃至１５のいずれかに記載のセット。
【請求項１７】
前記第１パネル溝（１２）および前記第２パネル溝（２３）のうちの少なくとも一方は、有底である、
請求項１２乃至１６のいずれかに記載のセット。
【請求項１８】
１つの第１パネルと、１つの第２パネルと、１つの背面パネルとが組み付けられたとき、前記背面パネル（４０）の前記第１パネル（１０）の前記第１縁部（１１）からの延出部（Ｈ）は、前記ロッド形状要素（３１）の前記第１パネル（１０）の前記第１縁部面（１１）からの延出部より小さい、
請求項１４乃至１７のいずれかに記載のセット。
【発明の詳細な説明】
【技術分野】
【０００１】
本発明の実施形態は、互いに対して垂直に配置され得るとともに、機械的係止装置により互いに係止され得るパネルに関する。パネルは、本棚、食器棚、衣装だんす、箱、引出、家具部品等の家具製品を得るべく、組み立てられて互いに係止され得る。
【背景技術】
【０００２】
ＷＯ２０１５／０３８０５９号から明らかなように、機械的係止装置を有する家具製品が本技術で知られている。家具製品は、挿入溝内に可撓性タングを備える機械的係止装置により第２パネルに垂直に接続された第１パネルを含んでいる。
【０００３】
様々の既知の態様についての上記の説明は、出願人のものの特徴であり、上述の説明が先行技術とみなされることを認めるものではない。
【０００４】
本発明の実施形態は、容易に組み立てられ得るパネルを提供する必要性に応える。
【発明の概要】
【０００５】
本発明のある態様の目的は、上記技術および既知の技術を改善することであり、特に、工具を使用する必要なく組み立てられるように構成されたパネルの組立を容易にすることである。
【０００６】
本発明の少なくとも特定の態様の更なる目的は、製造および使用が簡単な係止装置により組み立てるように構成されたパネルの組立を容易にすることであり、パネルを誤って設置するリスクを低減する。
【０００７】
本発明の少なくとも特定の態様の更なる目的は、より安定した美しい態様で組み立てるように構成されたパネルの組立を容易にすることである。
【０００８】
詳細説明から明らかになる以上の目的および他の目的、ならびに利点の少なくともいくつかは、第１パネルと、第２パネルと、前記第１パネルを前記第２パネルに係止するための機械的係止装置と、を備えるセットにおいて、前記第１パネルは、第１縁部面と第１パネル面とを備え、前記第２パネルは、第２パネル面を備え、前記第１および第２パネルの係止状態において、前記第１縁部面は、前記第２パネル面に面し、および／または平行であり、前記機械的係止装置は、前記第１縁部面における少なくとも１つのロッド形状要素と、前記第２パネル面における少なくとも１つの挿入溝と、を備え、前記ロッド形状要素は、前記挿入溝に挿入されるように構成され、前記ロッド形状要素は、前記第１縁部面から第１角度で延び出し、前記挿入溝は、前記第２パネル面から第２角度で前記第２パネル面内に延び入り、前記機械的係止装置は、前記第１縁部面または前記第２パネル面に設けられた少なくとも１つの係止溝と、少なくとも１つの係止部とを更に備え、前記係止溝は、前記第１縁部面または前記第２パネル面から第３角度で延びる少なくとも１つの係止面を備え、前記係止部は、前記係止溝に挿入されるとともに前記係止面に対して係止するように構成され、前記第３角度は、前記第１角度と異なるセットにより達成された。
【０００９】
一態様によれば、前記機械的係止装置は、前記第１パネルを前記第２パネルに対して、前記第１パネル面に本質的に平行である組立方向に変位させることにより、前記係止状態を得るように構成される。
【００１０】
一態様によれば、前記第３角度は、前記第１角度より約４５°乃至約９０°大きい。
【００１１】
一態様によれば、前記係止部は、前記第１端部面または前記第２パネル面に配置され、前記係止溝は、対向する前記第２パネル面または第１縁部面に配置される。
【００１２】
一態様によれば、前記第１角度は、約３０°乃至約６０°の範囲にある、または約４０°乃至約５０°の範囲にある、または約４５°である。
【００１３】
一態様によれば、前記組立方向は、前記第１角度および前記第２角度のうちの少なくとも一方に対して本質的に平行である。
【００１４】
一態様によれば、前記係止部は、可撓性を有する。
【００１５】
一態様によれば、非屈曲／非圧縮状態にある前記係止部は、前記係止溝に部分的に配置されるように構成される。
【００１６】
一態様によれば、前記係止部は、ばねを備える。
【００１７】
一態様によれば、前記係止部は、前記第１縁部面または前記第２パネル面に設けられた係止部溝に配置される。
【００１８】
一態様によれば、屈曲／圧縮状態にある前記係止部は、前記係止部溝に実質的に配置されるように構成される。
【００１９】
一態様によれば、前記挿入溝および／または前記係止溝は、ドリル孔である。
【００２０】
一態様によれば、前記ドリル孔は、有底のドリル孔である。
【００２１】
一態様によれば、前記ロッド形状要素は、前記第１縁部面におけるロッド要素溝に配置される。
【００２２】
一態様によれば、前記セットは、前記第１パネルの前記第１パネル面に設けられた第１パネル溝と、前記第２パネルの前記第２パネル面に設けられた第２パネル溝と、を備える
【００２３】
一態様によれば、前記第１パネル溝の幅は、前記第２パネル溝の幅と本質的に同一である。
【００２４】
一態様によれば、前記セットは、前記第１および第２パネル溝に挿入されるとともに、選択的にこれらと協働するように構成される背面パネルを更に備える。
【００２５】
一態様によれば、前記第１パネルは、第２縁部面を備え、前記第２パネルは、第３縁部面を備え、前記第１パネル溝は、前記第２縁部面と実質的に平行であり、前記第２パネル溝は、前記第３縁部面と実質的に平行である。
【００２６】
一態様によれば、前記第１パネル溝は、前記第２縁部面の全体に実質的に沿って延び、前記第２パネル溝は、前記第３縁部面の全体に本質的に沿って延びる。
【００２７】
一態様によれば、前記第１パネル溝および／または前記第２パネル溝は、有底である。
【００２８】
一態様によれば、１つの第１パネルと、１つの第２パネルと、１つの背面パネルとが組み付けられたとき、前記背面パネルの前記第１パネルの前記第１縁部からの延出部は、前記ロッド形状要素の前記第１縁部面からの延出部より小さい。
【００２９】
一態様によれば、前記第１パネルおよび／または前記第２パネル２０のコアは、ＭＤＦ、ＨＤＦ、ＯＳＢ、ＷＰＣ、合板、またはパーチクルボード等の木材ベースのコアであり得る。また、コアは、熱硬化性プラスチック、または、ビニル、ＰＶＣ、ＰＵやＰＥＴ等の熱可塑性プラスチックからなるプラスチックコアであり得る。プラスチックコアは、フィラーを含み得る。
【００３０】
また、前記第１パネルおよび／または前記第２パネルは、無垢材であり得る。
【００３１】
前記第１パネルおよび／または前記第２パネルは、単数または複数の面上に、箔やベニヤ等の装飾層を設けられ得る。
【００３２】
説明から明らかになり得る上記の認定された目的および他の目的、ならびに利点の少なくともいくつかは、上述の家具製品用の係止装置により達成された。
【００３３】
本発明の実施形態が可能である以上のおよび他の態様、特徴および利点は、添付図面を参照しつつなされる本発明の実施形態および態様に関する以下の説明から明らかになるであろう。
【図面の簡単な説明】
【００３４】
【図１】本発明の一態様の組み立てられていない状態のセットの上方からの立体図。
【図２】本発明の一態様の組み立てられていない状態のセットの上方からの立体図。
【図３】本発明の一態様の組み立てられていない状態のセットの上方からの立体図。
【図４】本発明の一態様の組み立てられていない状態のセットの立体側面図。
【図５Ａ】本発明の一態様の組み立てられていない状態のセットの側面図。
【図５Ｂ】ロッド形状要素の実施形態の側面図。
【図６】本発明の一態様の組み立てられた状態のセットの側面図。
【図７】本発明の一態様の組み立てられていない状態のセットの側面図。
【図８】図７の部分拡大図。
【図９】本発明の一態様の組み立てられていない状態のセットの側面図。
【図１０】図９に示すセットの部分拡大図。
【図１１】２つの第１パネルと、２つの第２パネルと、１つの背面パネルと、を備えたセットであって、本発明の一態様の組み立てられていない状態のセットを示す図。
【図１２】本発明の一態様の組み立てられた状態のセットの側面図。
【図１３】図１２に示すセットの部分拡大図。
【図１４】図１２に示すセットの部分拡大図。
【図１５】第１パネルの実施形態の側面図。
【図１６】２つの第１パネルと２つの第２パネルとを備えたセットであって、本発明の一態様の組み立てられていない状態のセットを示す図。
【図１７Ａ】組立中のセットの部分拡大図。
【図１７Ｂ】組立中のセットの部分拡大図。
【図１７Ｃ】組立中のセットの部分拡大図。
【図１７Ｄ】組立中のセットの部分拡大図。
【発明を実施するための形態】
【００３５】
本発明の特定の実施形態を、添付図面を参照して説明する。しかしながら、本発明は、多くの異なる形態において具現化され得るものであって、本明細書に記載される実施形態に限定されると解釈されるべきではない。むしろ、これらの実施形態は、本開示が完璧且つ完全であり、本発明の範囲を当業者に十分に伝達するように提供される。添付図面に示す実施形態の詳細な説明において使用される用語は、本発明を限定することを意図したものではない。図面において、同様の符号は同様の要素を指す。
【００３６】
本明細書中で使用される用語は、開示の特定の態様を単に説明することを目的としているにすぎず、開示を限定しようとするものではない。本明細書中で使用される単数形「１つの（ａ）」、「１つの（ａｎ）」、及び、「その（ｔｈｅ）」は、文脈が別途明確に示唆しなければ、複数形も含むように意図される。
【００３７】
図面および明細書において、本開示の例示的な態様が開示されている。しかしながら、本開示の原理から実質的に逸脱することなく、これらの態様を様々に変更および変形することができる。したがって、本開示は、限定的ではなく例示的であるとみなされるべきであり、上述の特定の態様に限定されるものではない。したがって、特定に用語が使用されるが、それらは一般的且つ説明的な意味でのみ使用されるものであり、限定を目的とするものではない。例えば、幅、または横幅、または高さ、または長さ、または直径等の寸法の定義は、例示的な態様がいかに描写されるかに依存する。したがって、描写が異なった態様でなされる場合、ある描写で示された幅または直径は、別の描写では長さまたは厚さである。
【００３８】
「備える」という単語が挙げられた要素又はステップ以外の要素又はステップの存在を必ずしも排除するものではなく、また、要素に先行する「１つの（ａ）」又は「１つの（ａｎ）」という単語が複数のそのような要素の存在を排除しないことに留意すべきである。更に、参照符号のいずれも特許請求の範囲を限定するものではなく、態様の例がハードウェア及びソフトウェアの両方によって少なくとも部分的に実施されてもよく、及び、幾つかの「手段」、「ユニット」、又は、「装置」がハードウェアの同一アイテムにより表わされてもよいことに留意すべきである。
【００３９】
本明細書中に開示される本発明の異なる態様、代替物、及び、実施形態は、本明細書中に記載される他の態様、代替物、及び、実施形態のうちの１つ以上と組み合わせられ得る。２つ以上の態様を組み合わせることができる。
【００４０】
セットを含む本発明の実施形態を図１乃至１６に示す。セットは、第１パネル１０と、第２パネル２０と、第１パネル１０を第２パネル２０に係止するための機械的係止装置と、を備えている。第１パネル１０は、第１縁部面１１と第１パネル面１３とを備えている。第２パネル２０は、第２パネル面２２を備えている。第１および第２パネル１０、２０の係止状態において、第１縁部面１１は、第２パネル面２２に面している、または平行である。機械的係止装置は、第１縁部面１１における少なくとも１つの要素３１と、第２パネル面２２おける少なくとも１つの挿入溝３２と、を備えている。要素３１はロッド形状を有し得る。ロッド形状要素３１は、挿入溝３２内に挿入されるように構成されている。ロッド形状要素３１は、第１縁部面１１から第１角度α１で延び出し、挿入溝３２は、第２パネル面２２から第２角度α２で第２パネル面２２内に延び入る。複数の要素３１が存在する場合、各要素３１は、他の各要素３１と互いに平行に配置され得る。複数の挿入溝３２が存在する場合、各挿入溝３２は、他の挿入溝３２と互いに平行に配置され得る。機械的係止装置は、第１縁部面１１または第２パネル面における少なくとも１つの係止溝３５と、少なくとも１つの係止部３４と、を更に備える。係止溝３５は、第１縁部面１１または第２パネル面２２から第３角度βで延びる少なくとも１つの係止面３７を備えている。係止部３４は、係止溝３５に挿入されるとともに係止面３７に対して係止するように構成される。第３角度βは、第１角度α１と異なっている。
【００４１】
第１パネル１０および第２パネル２０は、家具製品用のパネルであり得るとともに、家具製品のフレームの一部であり得る。
【００４２】
当該セットは、第１パネル面１３が第２パネル面２２に対して垂直または本質的に垂直である状態で、第１パネルを第２パネル２０に係止するように構成され得る。
【００４３】
第２パネル２０は、第４縁部面２５を備え得る。挿入溝３２は、第４縁部面２５に隣接して配置され得る。当該セットは、第１パネル面１３が第４縁部面２５に対して平行または本質的に平行である状態で、第１パネル１０を第２パネル２０に係止するように構成され得る。
【００４４】
図１−３、５Ａ、７、８、１１および１６は、一態様による組み立てられていない状態のセットを開示する。図４、６、９および１２−１４は、一態様による組み立てられた状態のセットを開示する。セットは、第１パネルを第２パネル２０に対して、第１パネル面１３に本質的に平行である組立方向１１１、１１２、１１４に変位させることにより、組み立てられ得る。ロッド形状要素３１が挿入溝３２内に挿入されるとともに、係止部３４が係止溝３５に挿入されて係止面３７に対して係止したとき、機械的係止装置は、第１パネル１０を第２パネル２０に自動的に係止するように構成され得る。第１縁部面１１が第１パネル面２２に対して配置されると、セットは係止され得る。
【００４５】
第３角度βは、第１角度α１および／または第２角度α２より約４５°乃至約９０°大きくてもよい。
【００４６】
係止部３４は、第１縁部面１１または第２パネル面２２に配置され得る。係止溝３５は、対向する第２パネル面２２または第１縁部面１１に配置される。
【００４７】
第１角度α１および／または第２角度α２は、約３０°乃至６０°の範囲にある、または約４０°乃至５０°の範囲にある、または約４５°であり得る。第１角度α１と第２角度α２とは、平行または本質的に平行であり得る。
【００４８】
組立方向１１１、１１２、１１４は、第１角度α１および／または第２角度α２に対して本質的に平行であり得る。
【００４９】
係止面３７の第３角度βは、約７０°乃至１１０°の範囲にあり得る、または約８０°乃至１００°の範囲にある、または約８５°乃至９５°の範囲にあり得る、または約９０°であり得る。
【００５０】
係止部３４は、可撓性を有し得る。
【００５１】
非屈曲／非圧縮状態にある係止部３４は、係止溝３５に部分的に配置されるように構成され得る。
【００５２】
係止部３４は、ばねを備え得る。
【００５３】
係止部３４は、第１縁部面１１または第２パネル面２２に設けられた係止部溝３８に配置され得る。
【００５４】
屈曲／圧縮状態にある係止部３４は、係止部溝３８に実質的に配置されるように構成され得る。
【００５５】
第１パネル１０と第２パネル２０とが一体に組み付けられたとき、係止部３４は、圧縮されるとともに係止部溝３８に実質的に配置される。係止部３４は、係止部３４の圧縮を容易にするばねを備え得る。第１パネル１０を第２パネル２０に対して組立方向に変位させると、ロッド形状要素３１が挿入溝３２に挿入されるようになる。係止部３４が係止溝３５に接触すると、係止部３４は係止部溝３８から進展して係止溝３５内に突出し得る。係止部３４の一部が係止溝３５に配置されていることにより、第パネル１０が第２パネルに対して組立方向と反対の方向に変位することが防止されるため、第１パネル１０と第２パネル２０とはこうして互いに係止されるであろう。
【００５６】
挿入溝３２および／または係止溝３５は、ドリル孔であり得る。ドリル孔は、有底のドリル孔であり得る。
【００５７】
挿入溝３２は、直径Ｄ２を有し得る。
【００５８】
図８に示すように、挿入溝３２は、組立中にロッド形状要素を案内するように構成された面取部６０または丸みを備え得る。
【００５９】
ロッド形状要素３１は、第１パネル１０の第１縁部面１１に設けられた、または第２パネル２０の第２パネル面２２に設けられたロッド要素溝３６に配置され得る。
【００６０】
ロッド形状要素３１は、直径Ｄ１を有し得る。挿入溝３２の直径Ｄ２は、ロッド形状要素３１の直径Ｄ１より大きくてもよい。最適な組立を目的として、挿入溝３２の直径Ｄ２は、ロッド形状要素３１の直径Ｄ１より約０．３乃至約０．８ｍｍ大きくてもよい。
【００６１】
一態様によれば、セットは、第１パネル１０の第１パネル面１３における第１パネル溝１２、および／または第２パネル２０の第２パネル面２２における第２パネル溝２３を備え得る。
【００６２】
第１パネル面１３における第１パネル溝１２は、幅Ｗ１を備え得る。
【００６３】
第２パネル面２２における第２パネル溝２３は、幅Ｗ２を備え得る。
【００６４】
第１パネル溝１２の幅Ｗ１は、第２パネル溝２３の幅Ｗ２と本質的に同一であり得る。
【００６５】
セットは、背面パネル４０を更に備え得る。背面パネル４０は、第１パネル溝１２および第２パネル溝２３に挿入されるとともに、選択的にこれらと協働するように構成され得る。
【００６６】
図６は、背面パネル４０を第１パネル１０および第２パネル２０に対して、第２パネル２０の第２パネル面２２に対して本質的に垂直である組立方向１１３に変位させることにより、背面パネル４０が第１パネル１０および第２パネル２０に組み付けられ得ることを示す。背面パネル４０の厚さＴは、第１パネル溝１２および／または第２パネル溝２３の幅Ｗ１、Ｗ２と本質的に同一であり得る。
【００６７】
背面パネル４０と第１パネル溝１２および／または第２パネル溝２３との間には、遊びがあってもよい。これにより、背面パネル４０の縁部が、第１パネル溝１２および／または第２パネル溝２３において変位しやすくなる。この遊びは、約０ｍｍ乃至約０．５ｍｍ、または約０．１ｍｍ乃至約０．２の範囲にあり得る。
【００６８】
一態様において、第１パネル溝１２および／または第２パネル溝２３の幅Ｗ１、Ｗ２から背面パネル４０の厚さＴを引いたもの、すなわち、ΔＷは、第１パネル１０、第２パネル２０、および背面パネル４０が組み付けられた後の第１パネル１０または第２パネル２０に対する背面パネル４０の延出部Ｈに等しいか、またはこれより大きい。すなわち、ΔＷ≧Ｈである。図１２−１５を参照されたい。
【００６９】
図１３は、背面パネル４０を第１パネル溝１２および／または第２パネル溝２３に対して位置決めするための位置決め要素５０を備える実施形態を示す。位置決め要素５０は、第１楔要素５１と第２楔要素５２とを備え得る。
【００７０】
一実施形態において、Ｈは、ロッド形状要素３１の第１縁部面１１からの延出部Ｄより小さい。
【００７１】
ロッド形状要素３１は、第１縁部面１１に沿った延出部Ｅを有し得る。
【００７２】
一態様において、２つの第１パネル１０および２つの第２パネル２０を備えるセットを組み立てる場合、少なくとも１つのパネル１０、２０は、第１パネル溝１２および／または第２パネル溝２３内で背面パネル４０の延出部Ｈが変位することを許容する第１パネル溝１２および／または第２パネル溝２３の幅Ｗ１、Ｗ１を有し得る。変位は、ΔＷ以上である。一態様において、パネルの製造を容易とすべく、全てのパネル１０、２０が、同一の第１パネル溝１２および／または第２パネル溝２３の幅Ｗ１、Ｗ２を有している。
【００７３】
背面パネル４０の長さは、背面パネル４０の延出部Ｈを避けて設計され得る。背面パネル４０の縁部は、第１パネル１０の第１縁部面１１と本質的に同一平面であり得る。
【００７４】
図１５は、第１パネル溝１２を有する第１パネル１０の実施形態の側面図である。第１パネル溝１２は、幅Ｗ１及び高さＨ１を有し得る。第１パネル１０は、第２縁部面１４を備え得る。第２パネル２０は、第３縁部面２４を備え得る。第１パネル溝１２は、第２縁部面１４に対して実質的に平行であり得る。第２パネル溝２３は、第３縁部面２４に対して実質的に平行であり得る。
【００７５】
第１パネル溝１２は、第２縁部面１４の全体に実質的に沿って延び得る。第２パネル溝２３は、第３縁部面２４の全体に本質的に沿って延び得る。
【００７６】
第１パネル溝１２および／または第２パネル溝２３は、有底であり得る。
【００７７】
第１パネル溝１２および／または第２パネル溝２３は、フライス加工または鋸引き等の機械的切削により形成され得る。
【００７８】
第１パネル溝１２は、第１パネル面１３において第１パネル１０のコアに形成され得る。第２パネル溝２３は、第２パネル面２２において第２パネル２０のコアに形成され得る。
【００７９】
第１縁部面１１は、２つ以上の前記ロッド形状要素３１を備え得るとともに、第２パネル面２２は、２つ以上の前記挿入溝３２を備え得て、この逆も可能であり、２つ以上の前記挿入溝３２は、直線状に配置され得る。各ロッド形状要素３１は、１つの挿入溝３２に挿入されるように構成されている。
【００８０】
第１パネル１０の第２パネル２０に対する第２パネル面２２に平行な方向における係止は、係止溝４６に挿入されるとともに係止面３７に対して係止する係止部４５によって得られ得る。係止面は、第１縁部面１１から第３角度βで延びる。第３角度βは、第１角度α１より約４５°乃至約９０°大きい。
【００８１】
第２パネル面２２に平行な面に設けられた挿入溝３２の横断面は、第１縁部面１１に平行な平面に設けられたロッド形状要素３１の横断面に対応する形状を有し得る。これは、第１パネル１０の第２パネル２０に対する係止が向上するという点、およびパネルのセットの組立が容易になるという点で有利であり得る。
【００８２】
ロッド形状要素３１および挿入溝３２を、図５Ａ−８および１０により詳細に開示する。これらの図は、ロッド形状要素３１および挿入溝３２に沿った横断面を示す。
【００８３】
図５Ａは、係止部３４の外縁部に設けられたガイド面８７を備える係止部３４の実施形態を示す。ガイド面は、係止部３４を係止溝３５内に挿入する際に、係止溝３５の外縁部と協働するように構成されている。
【００８４】
図５Ｂは、ロッド形状要素３１の実施形態を示す。ロッド形状要素３１は、細長い形状を有し得るとともに、長さ方向８６と、幅方向８５と、長さ方向に延びる中心線８１と、を備え得る。一態様によれば、ロッド形状要素３１は、第１縁部面１１に設けられたロッド要素溝３６に挿入されるように構成される。
【００８５】
一態様によれば、ロッド形状要素３１は、第２パネル面２２におけるロッド要素溝３６に挿入されるように構成される。
【００８６】
一態様によれば、ロッド形状要素３１は、ロッド要素溝３６内に摩擦により取り付けられるように構成され得る。
【００８７】
一態様によれば、ロッド形状要素３１は、ロッド要素溝３６内に接着されるように構成され得る。
【００８８】
一態様によれば、ロッド形状要素３１、ロッド要素溝３６、および挿入溝３２は、実質的に円形の形状を有し得るが、三角形、長方形、正方形等の他の形状も可能である。
【００８９】
一態様によれば、係止溝３５および係止部３４は、実質的に円形の形状を有し得るが、三角形、長方形、正方形等の他の形状も可能である。
【００９０】
図７に示す一態様によれば、第１縁部面１１は、少なくとも１つの要素３１を有し得る一方、対向する縁部面は、少なくとも１つの挿入溝３２を有し得る。
【００９１】
別の態様によれば、第１縁部面１１は、少なくとも１つの要素３１と少なくとも１つの挿入溝３２とを組み合わせて有し得る。対応する第２パネル面２２は、少なくとも１つの挿入溝３２と少なくとも１つの要素３１とを対応するように組み合わせて有し得る。
【００９２】
図８に示す一態様によれば、少なくとも１つのロッド形状要素３１の位置は、第２縁部面１４から第１距離８３を置いて配置され得る。第１距離は、第２縁部面１４からロッド形状要素３１の中心線８１までの寸法であり得る。対応する挿入溝３２は、第３縁部面２４から第２距離８４を置いて配置され得る。第２距離は、第３縁部面２４から挿入溝３２の中心線８２までの寸法であり得る。第１距離は、第２距離と異なり得る。これにより、係止力が増大し得る。
【００９３】
第１距離と第２距離との差は、約０．１ｍｍ乃至約０．５ｍｍの範囲にあり得る。
【００９４】
一態様によれば、ロッド形状要素３１は、木質材料やポリマー材料のうちの１つ以上から構成される。ポリマー材料は、ガラスファイバーや金属等の補強材を含み得る。
【００９５】
一態様によれば、組立を容易とするように、ロッド形状要素３１は、ワックス加工された表面を有し得る。
【００９６】
一態様によれば、ロッド形状要素３１は、係止状態において、挿入溝３２の底面と協働するように構成され得る。
【００９７】
挿入溝３２および係止溝３５の側壁は、第１パネル１０または第２パネル２０のコアの材料から構成され得る。これは、これらがいずれのパネルに作製されるかに依存する。一態様によれば、それらは、例えば金属やガラスファイバーで補強され得る。
【００９８】
一態様によれば、第１パネル溝１２および／または第２パネル溝２３は、液体で含侵され得る／補強され得る。
【００９９】
一態様によれば、第１パネル１０と第２パネル２０とは、第１パネル１０を第２パネル２０に対して、図５Ａ、１１および１６に示すように、第１パネル面１３に本質的に平行である組立方向に変位させることにより組み付けられ得る。一態様によれば、第１パネル１０の第２パネル２０に対する前記変位により、ロッド形状要素３１が挿入溝３２内に挿入されるとともに、係止部３４が係止溝３５に挿入されて係止面３７に対して係止したとき、機械的係止装置は、第１パネル１０を第２パネル２０に自動的に係止するように構成される。第１縁部面１１が第１パネル面２２に対して配置されると、セットは係止され得る。
【０１００】
一態様によれば、第１パネル１０は、２つ以上の上述の前記第２縁部面１１を備え得る。換言すれば、図２−４、９、１１、１２、および１６に開示するように、単数または複数のロッド形状要素３１が、第１パネル１０の２つ以上の縁部に配置され得る。
【０１０１】
一態様によれば、第２パネル２０は、２つ以上の上述の前記第４縁部面２５を備え得る。換言すれば、図１−４、９、１１、１２および１６に開示するように、単数または複数の前記挿入溝３２が、第２パネル１０の２つ以上の縁部に隣接して配置され得る。
【０１０２】
一態様によれば、図１１に示すように、２つの第１パネル１０と、２つの第２パネル２０と、１つの背面パネル４０とが、組み付けられ得る。
【０１０３】
第１パネル１０の左側の実施形態は、第２パネル２０の底部側の実施形態に、第１パネル１０の左側の実施形態を第２パネル２０の底部側の実施形態に対して組立方向１１１に変位させることにより組み付けられ得る。第１パネル１０の右側の実施形態は、第２パネル２０の底部側の実施形態に、第１パネル１０の右側の実施形態を第２パネル２０の底部側の実施形態に対して組立方向１１２に変位させることにより組み付けられ得る。背面パネル４０の実施形態は、第１パネル１０の左側および右側の実施形態および第２パネル２０の底部側の実施形態に、背面パネル４０の実施形態を第２パネル２０の底部側の実施形態の第２パネル面２２に対して本質的に垂直である組立方向１１３に変位させることにより組み付けられ得る。第２パネル２０の頂部側の実施形態は、第１パネル１０の左側および右側の実施形態および背面パネル４０の実施形態に、第２パネル２０の頂部側の実施形態を組立方向１１４に変位させることにより組み付けられ得る。
【０１０４】
一態様によれば、図１６に示すように、２つの第１パネル１０と２つの第２パネル２０とが、組み付けられ得る。
【０１０５】
第１パネル１０の左側の実施形態は、第２パネル２０の底部側の実施形態に、第１パネル１０の左側の実施形態を第２パネル２０の底部側の実施形態に対して組立方向１１１に変位させることにより組み付けられ得る。第１パネル１０の右側の実施形態は、第２パネル２０の底部側の実施形態に、第１パネル１０の右側の実施形態を第２パネル２０の底部側の実施形態に対して組立方向１１２に変位させることにより組み付けられ得る。第２パネル２０の頂部側の実施形態は、第１パネル１０の左側および右側の実施形態および背面パネル４０の実施形態に、第２パネル２０の頂部側の実施形態を組立方向１１４に変位させることにより組み付けられ得る。
【０１０６】
係止状態において第１パネル１０のパネル溝１２に挿入され得る背面パネル４０の長さ９３は、第１パネルの第２縁部面１４での第１パネル１０の長さ９４と本質的に同一であり得るか、またはこれより大きくてもよい。背面パネル４０の長さ９３は、第１パネル１０の長さ９４に、パネル溝１２の高さＨ１の約半分乃至パネル溝１２の高さＨ１の約２倍を加えたものに等しくてもよいし、または第１パネル１０の長さ９４に、パネル溝１２の高さＨ１を加えたものに等しくてもよい。図１１は、背面パネルの上側縁部８７と背面パネルの下側縁部８８との間で延びる背面パネル４０の長さ９３を示す。
【０１０７】
図１７Ａ−Ｄは、組立中のセットの実施形態の部分拡大図である。図１７Ａは、背面パネル４０が第１パネル１０のパネル溝１２に挿入された第１状態の実施形態を示す。背面パネル４０の上側縁部８７は、第１パネル第１縁部面１１の下方にある。図１７Ｃは、この第１状態において、背面パネルの下側縁部８８が、下側の第２パネル２０のパネル溝２３の下面８９に接触し得ることを示す。図１７Ｂは、上側の第２パネル２０を１１４に変位させて第１パネル１０に組み付けるとともに、背面パネル４０を、背面パネル４０の上側縁部８７が上側の第２パネル２０のパネル溝２３内に達する位置まで変位させた第２状態の実施形態を示す。図１７Ｄは、この第２状態において、背面パネルの下側縁部８８が、下側の第２パネル２０のパネル溝２３の下面８９から距離９１を置き得ることを示す。背面パネル４０の下側縁部８８は、第２パネルの第２パネル面２２から距離９１を置いて配置され得る。この距離は、第２パネルのパネル溝２３の高さＨ２の約１／３乃至約２／３の範囲にあり得る、または第２パネルのパネル溝２３の高さＨ２の約半分であり得る。
【０１０８】
下側の第２パネル溝のパネル溝２３の高さＨ２は、上側の第２パネル溝のパネル溝２３の高さＨ２より大きくてもよい。セットを回転させて、重力によって背面パネルが変位することにより、背面パネル４０の上側縁部８７が上側の第２パネル２０のパネル溝２３内に入る状態を得るようにしてもよい。
【０１０９】
背面パネルは、重力または手で変位させることができる。背面パネル４０の上側縁部８７が上側の第２パネル２０のパネル溝２３内にある状態は、位置決め要素９２をパネルと第１パネルのパネル溝１２との間、および／または背面パネルと第２パネルのパネル溝２３との間に配置することによって維持され得る。
【０１１０】
第１パネル溝１２の実施形態は、背面パネル４０の厚さＴと本質的に同一の幅Ｗ１を含み得る。第１パネル溝１２の一部は、より幅広であってもよい。これにより、位置決め要素５０の実施形態を背面パネルと第１パネル溝１２との間に配置することが可能となり得るため、背面パネル４０の上側縁部８７が上側の第２パネル２０のパネル溝２３内にある状態が維持される。
【０１１１】
第２パネル溝２４の実施形態は、背面パネル４０の厚さＴと本質的に同一の幅Ｗを含み得る。第２パネル溝２３の一部は、より幅広であってもよい。これにより、位置決め要素５０の実施形態を背面パネル４０と第２パネル溝２３との間に配置することが可能となり得るため、背面パネル４０の上側縁部８７が上側の第２パネル２０の第２パネル溝２３内にある状態が維持される。
【０１１２】
ＷＯ２０１９１２５２９２またはＷＯ２０１９１２５２９１に開示された係止装置４の実施形態により、背面パネルは変位可能であり得るとともに、背面パネル４０の上側縁部８７が上側の第２パネル２０のパネル溝２３内にある状態が維持され得る。
【０１１３】
第１パネル１０および／または第２パネル２０のコアは、ＭＤＦ、ＨＤＦ、ＯＳＢ、ＷＰＣ、合板、またはパーチクルボード等の木材ベースのコアであり得る。また、コアは、熱硬化性プラスチック、または、ビニル、ＰＶＣ、ＰＵやＰＥＴ等の熱可塑性プラスチックからなるプラスチックコアであり得る。プラスチックコアは、フィラーを含み得る。
【０１１４】
また、第１パネル１０および／または第２パネル２０は、無垢材であり得る。
【０１１５】
第１パネル１０および／または第２パネル２０は、単数または複数の面上に、箔やベニヤ等の装飾層を設けられ得る。
【０１１６】
一態様によれば、パネルのセットは、弾性を有するパネルである。弾性を有するパネルは、熱可塑性材料からなるコアを備え得る。熱可塑性材料は発泡させてもよい。
【０１１７】
熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレンテレフタレート（ＰＥＴ）、ポリアクリレート、メタクリレート、ポリカーボネート、ポリビニルブチラール、ポリブチレンテレフタレート、またはこれらの組み合わせを含み得る。コアは、複数の層で形成され得る。
【０１１８】
上述の態様は、熱可塑性材料からなる装飾箔等の装飾層を備え得る。装飾層の熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレンテレフタレート（ＰＥＴ）、ポリアクリレート、メタクリレート、ポリカーボネート、ポリビニルブチラール、ポリブチレンテレフタレート、またはこれらの組み合わせであり得る、またはこれらを含み得る。装飾箔は、例えば直接印刷、グラビア印刷、またはデジタル印刷により印刷され得る。一態様によれば、装飾層は、メラミン、高圧ラミネート（ＨＰＬ）またはベニヤからなる。
【０１１９】
上述の態様は、フィルムまたは箔等の摩耗層を備え得る。摩耗層は、熱可塑性材料からなり得る。熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレンテレフタレート（ＰＥＴ）、ポリアクリレート、メタクリレート、ポリカーボネート、ポリビニルブチラール、ポリブチレンテレフタレート、またはこれらの組み合わせであり得る。
【０１２０】
上述の態様は、ＨＤＦ、ＭＤＦ、合板、パーチクルボード、ＯＳＢまたはメゾナイト等の木材ベースコアを備え得る。
【０１２１】
上述の種々の態様、実施形態および代替案は、記載された別の態様、実施形態及び代替案の単数または複数の組み合わせることができる。
【図１】
2021535330.tif 000003
【図２】
2021535330.tif 000004
【図３】
2021535330.tif 000005
【図４】
2021535330.tif 000006
【図５Ａ】
2021535330.tif 000007
【図５Ｂ】
2021535330.tif 000008
【図６】
2021535330.tif 000009
【図７】
2021535330.tif 000010
【図８】
2021535330.tif 000011
【図９】
2021535330.tif 000012
【図１０】
2021535330.tif 000013
【図１１】
2021535330.tif 000014
【図１２】
2021535330.tif 000015
【図１３】
2021535330.tif 000016
【図１４】
2021535330.tif 000017
【図１５】
2021535330.tif 000018
【図１６】
2021535330.tif 000019
【図１７Ａ】
2021535330.tif 000020
【図１７Ｂ】
2021535330.tif 000021
【図１７Ｃ】
2021535330.tif 000022
【図１７Ｄ】
2021535330.tif 000023
【国際調査報告】
2021535330.tif 000024
2021535330.tif 000025
2021535330.tif 000026
2021535330.tif 000027